(57)【特許請求の範囲】
【請求項１】
読取対象の側に矩形の開口を有する筐体と、前記筐体に保持又は収納されたレンズ部と、前記レンズ部が前記読取対象からの光を集光したものを受光するセンサ素子とを備えた画像読取装置において、
前記矩形の開口の長辺を形成する前記筐体の壁は、前記読取対象の側から順に配置された第１層と第２層とを有し、前記第１層は、前記読取対象の側の面が平坦であり、前記第１層と前記第２層との接合面は、前記開口の長辺方向の中央部から反った弓形に湾曲しており、
前記第１層は、接着剤を前記第２層の上に積層したものであることを特徴とする画像読取装置。
【請求項２】
読取対象の側に矩形の開口を有する筐体と、前記筐体に保持又は収納されたレンズ部と、前記レンズ部が前記読取対象からの光を集光したものを受光するセンサ素子とを備えた画像読取装置において、
前記矩形の開口の長辺を形成する前記筐体の壁は、前記読取対象の側から順に配置された第１層と第２層とを有し、前記第１層は、前記読取対象の側の面が平坦であり、前記第１層と前記第２層との接合面は、前記開口の長辺方向の中央部から反った弓形に湾曲しており、
前記矩形の開口の長辺を形成する前記筐体の壁は、前記第２層の前記読取対象の側とは反対の側に配置された第３層をさらに有し、前記第２層と前記第３層との接合面は、前記開口の長辺方向の中央部から反った弓形に湾曲していることを特徴とする画像読取装置。
【請求項３】
前記接着剤は、熱硬化性、常温硬化性、又は、ＵＶ硬化性であることを特徴とする請求項１に記載の画像読取装置。
【請求項４】
前記第１層は、平板状の透明板を支持することを特徴とする請求項１から請求項３のいずれか１項に記載の画像読取装置。
【請求項５】
前記第１層は、前記透明板と前記第２層との間に充填され、前記透明板を支持することを特徴とする請求項４に記載の画像読取装置。
【請求項６】
前記第３層は、第２の接着剤を前記第２層の下に積層したものであることを特徴とする請求項２に記載の画像読取装置。
【請求項７】
前記第２の接着剤は、熱硬化性、常温硬化性、又は、ＵＶ硬化性であることを特徴とする請求項６に記載の画像読取装置。
【請求項８】
前記第３層は、前記センサ素子を実装した平板状のセンサ基板を保持することを特徴とする請求項２、請求項６、請求項７のいずれか１項に記載の画像読取装置。
【請求項９】
前記第３層は、前記センサ基板と前記第２層との間に充填され、前記センサ基板を保持することを特徴とする請求項８に記載の画像読取装置。
【請求項１０】
前記読取対象に光を照射する前記長辺方向に延在する導光体と、前記導光体の前記長辺方向の両端部に装着され前記導光体を保持する導光体保持部材とを備え、
前記導光体保持部材は、前記筐体の長辺方向の両端部に固定されていることを特徴とする請求項１から請求項９のいずれか１項に記載の画像読取装置。
【発明の詳細な説明】
【技術分野】
【０００１】
この発明は、ファクシミリや複写機、スキャナなどに利用することが可能な密着型イメージセンサ等の画像読取装置に関するものである。
【背景技術】
【０００２】
従来の画像読取装置には、樹脂で成形された略枠状の部材であるカバー（筐体）を備え、カバーの孔部（開口）に透明板が嵌め込まれたものがある（例えば、特許文献１参照）。なお、透明板が装置自体にはない画像読取装置もある。具体的には、ケース（フレーム、筐体）が、透明体に相当する原稿載置板の下方に位置するように支持され、原稿載置板の裏面（下面）に対向したまま移動自在となっているものが挙げられる（例えば、特許文献２参照）。【０００３】
また、画像読取装置には、フレーム（筐体）に長手方向（主走査方向）に反りがある場合でも、レンズアレイの長手方向に沿う全領域にわたって、ＭＴＦ（Ｍｏｄｕｌａｔｉｏｎ  Ｔｒａｎｓｆｅｒ  Ｆｕｎｃｔｉｏｎ）性能を確保することが可能な画像読取装置が開示されている。具体的には、等倍光学系を構成するレンズアレイと受光素子アレイとがフレームの長手方向に沿って固定されている画像読取装置において、レンズアレイには、その光軸方向に沿って、受光素子アレイの反り量のほぼ１／２の反り量が形成されている（例えば、特許文献３参照）。【０００４】
さらに、画像読取装置には、長手方向（主走査方向）にフレーム（筐体）が反った場合でも、読取位置を決定するレンズアレイと照明位置を決定する導光体の相対位置との間にずれを発生させず、照明範囲における照度を確保しているものがある（例えば、特許文献４参照）。
【先行技術文献】
【特許文献】
【０００５】
【特許文献１】特開２０１４−１６５５８８号公報
【特許文献２】特開２００１−２３８０４８号公報
【特許文献３】特開２０１５−２０７９２２号公報
【特許文献４】特開２０１６−１２７５５２号公報
【発明の概要】
【発明が解決しようとする課題】
【０００６】
しかしながら、従来の画像読取装置では、筐体の強度や製造精度が低い場合、筐体が反ることで、読取対象の側において、筐体の開口の長辺（長手方向の辺、主走査方向の辺）や、この長辺（長手方向の辺、主走査方向の辺）に載置された透明体が反ってしまうという課題があった。筐体の開口の長辺（長手方向の辺、主走査方向の辺）や、この長辺（長手方向の辺、主走査方向の辺）に載置された透明体の端面と原稿（読取対象）を押し当てて搬送するプラテンローラとの間の空間は、主走査方向に亘って一定であることが望ましいが、この反りにより、プラテンローラとの間に、主走査方向に沿って隙間の間隔が変化する空間ができ、主走査方向において原稿（読取対象）の読取位置が変動する。原稿（読取対象）の位置が変動すると、レンズアレイの原稿側（読取対象側）の焦点と原稿とがずれるので、読取画像がピンボケとなり、ＭＴＦ性能が低下する場合もある。【０００７】
この発明は、上記のような課題を解決するためになされたものであり、読取対象の側において、筐体の開口の長辺が平坦な面である画像読取装置を得ることを目的とする。
【課題を解決するための手段】
【０００８】
この発明に係る画像読取装置は、読取対象の側に矩形の開口を有する筐体と、前記筐体に保持又は収納されたレンズ部と、前記レンズ部が前記読取対象からの光を集光したものを受光するセンサ素子とを備えた画像読取装置において、前記矩形の開口の長辺を形成する前記筐体の壁は、前記読取対象の側から順に配置された第１層と第２層とを有し、前記第１層は、前記読取対象の側の面が平坦であり、前記第１層と前記第２層との接合面は、前記開口の長辺方向の中央部から反った弓形に湾曲しており、前記第１層は、接着剤を前記第２層の上に積層したものであることを特徴とするものである。
【発明の効果】
【０００９】
この発明によれば、筐体の開口の長辺が平坦な第１層を備えたので、読取対象の側において、筐体の開口の長辺が平坦な面である画像読取装置を得ることができる。
【図面の簡単な説明】
【００１０】
【図１】本発明の実施の形態１に係る画像読取装置の斜視図である。
【図２】本発明の実施の形態１に係る画像読取装置の分解図である。
【図３】本発明の実施の形態１に係る画像読取装置において、主走査方向の中央部における副走査方向に沿った断面図である。
【図４】本発明の実施の形態１に係る画像読取装置において、主走査方向の端部における副走査方向に沿った断面図である。
【図５Ａ】この発明の実施の形態１に係る画像読取装置の主走査方向の断面図である。
【図５Ｂ】図５Ａにおけるフレームに関する説明図である。
【図６】画像読取装置の焦点深度を示す模式図である。
【図７Ａ】この発明の実施の形態１に係る画像読取装置の原稿読取位置を示す図である。
【図７Ｂ】図７Ａにおけるフレームに関する説明図である。
【図８Ａ】比較例の画像読取装置の原稿読取位置を示す断面図ある。
【図８Ｂ】図８Ａにおけるフレームに関する説明図である。
【図９Ａ】この発明の実施の形態２に係る画像読取装置の主走査方向の断面図である。
【図９Ｂ】図９Ａにおけるフレームに関する説明図である。
【発明を実施するための形態】
【００１１】
実施の形態１．
この発明の実施の形態１について図を用いて説明する。尚、各図（図１から図９Ｂ）において、同一又は同等の構成要素については同一符号を付している。各図において、Ｘ、Ｙ、Ｚは座標軸を示す。Ｘ軸方向を主走査方向（長手方向）、Ｙ軸方向を副走査方向（短手方向）、Ｚ軸方向を読取深度方向とする。Ｘ軸の原点は、画像読取装置１の主走査方向の長さの中央とする。Ｙ軸の原点は、画像読取装置１の副走査方向の長さの中央とする。Ｚ軸の原点は、画像読取装置１が読み取る読取対象１１の搬送位置とする。
【００１２】
図１は、本発明の実施の形態１に係る画像読取装置１の斜視図である。図２は、本発明の実施の形態１に係る画像読取装置１の分解図である。図３は、本発明の実施の形態１に係る画像読取装置１において、主走査方向の中央部における副走査方向に沿った断面図である。図４は、本発明の実施の形態１に係る画像読取装置１において、主走査方向の端部における副走査方向に沿った断面図である。図５Ａは、この発明の実施の形態１に係る画像読取装置の主走査方向の断面図である。図５Ｂは、図５Ａにおけるフレームに関する説明図である。なお、図５Ａ、図５Ｂをまとめて、図５と称して説明する。
【００１３】
読取対象１１は、例えば、紙幣、有価証券、その他の一般文書の画像情報である被読取媒体（被照射体、原稿とも称する）である。読取対象１１は、画像読取装置１でその画像情報が読取られる。光源１８は、ＬＥＤ、有機ＥＬ等の発光素子であり、読み取る画像情報に応じて、赤色光（Ｒ）、緑色光（Ｇ）、青色光（Ｂ）、白色光（Ｗ）、紫外光（ＵＶ）、赤外光（ＩＲ）等を発光するものが用いられる。光源１８は、光源基板１７に実装されている。
【００１４】
導光体１４は、例えば樹脂やガラスで構成されており、Ｘ軸方向に延在している。導光体１４の、Ｘ軸方向の端部に入射面が形成されている。入射面に対向して光源１８が配置されている。光源１８から発光した光が入射面から導光体１４の内部に入り、Ｘ軸方向に伝搬して導光される。導光体１４は、Ｚ軸方向の一方の側に、Ｘ軸方向に延在した平面部を備える。平面部は、Ｘ軸方向に形成された光散乱部を備える。光散乱部はＹ軸方向に所定の長さの散乱領域を有する。導光体１４は、Ｚ軸方向の他方側に、導光体１４の外部に光を出射するＸ軸方向に延在した出射面を備える。導光体１４は、平面部と出射面とを繋ぎＸ軸方向に延在した側面を備える。この側面は、放物面形状をしており、光散乱部からの光を出射面へと反射する反射面でもある。
【００１５】
レンズ部４は、例えば、アレイ状に配列したロッドレンズである。レンズ部４は、読取対象１１とセンサ基板６との間に設置され、フレーム３に接着剤やテープなどの保持部材で保持されている。レンズ部４は、照明装置から出射した光が読取対象１１で反射した光を集光し、センサ素子５（センサ素子アレイ５）に結像させる機能を有する。センサ素子５（センサ素子アレイ５）は、結像した光を電気信号に変換する。
【００１６】
センサ基板６には、センサ素子アレイ５、外部コネクタ、その他ＡＳＩＣ等の電子部品が設置される。センサ基板６は、テープ、接着剤、ネジなどでフレーム３に固定される。センサ基板６は、フレーム３の読取対象１１側とは反対側の面に固定される。このとき、レンズ部４（レンズアレイ４）の光軸がセンサ素子５（センサ素子アレイ５）の受光部に一致している。
【００１７】
ホルダ１６は、導光体１４においてＸ軸方向における端部に設けられている。ホルダ１６の穴部に導光体１４の端部が挿入される。導光体１４が挿入されたホルダ１６は、サポート１５の副走査方向に突出した平坦部及びこの平坦部から傾斜して立設した立設部とで導光体１４を挟んで、サポート１５と共にフレーム３の主走査方向の端部に固定される。
【００１８】
実施の形態１に係る画像読取装置１は、原稿１１などの読取対象１１の側に矩形の開口を有するフレーム３と、フレーム３に保持又は収納されたレンズ部４と、レンズ部４が読取対象からの光を集光したものを受光するセンサ素子５と備えた画像読取装置１である。フレーム３は主走査方向を長手方向とする長方形状のものである。フレーム３の短手方向は、副走査方向（読取対象の搬送方向）に相当する。
【００１９】
図５においては、画像読取装置１は、透明板２と、フレーム３と、レンズ部４として主走査方向にレンズが配列されたレンズアレイ４と、センサ素子５として主走査方向にセンサが配列されたセンサ素子アレイ５と、センサ基板６とを備えた密着イメージセンサ装置を例示している。
【００２０】
読取対象１１の側におけるフレーム３の開口の長辺（主走査方向に沿った辺、Ｘ軸方向に沿った辺、長手方向に沿った辺）は、読取対象１１の側に配置された平坦な第１層７と、第１層７と連続する第２層３とを有し、第１層７と第２層３との接合面は湾曲している。図５においては、第１層７が、平板状の透明板２を支持するものを例示している。透明板２は、透明ガラスや透明樹脂で形成されている。透明板２は、主走査方向に沿って両面が平坦な平板状の形状を形成している。透明板２においてフレーム３と対面する面とは反対側の面は、原稿１１などの読取対象１１の読取面２ａであり、読取対象１１の読取位置を規制する。
【００２１】
第１層７と第２層３とで構成されているものをフレーム３と称しても良いし、第２層３だけをフレーム３と称しても良い。以後は、フレーム３が第２層３であり、このフレーム３の読取対象１１の側に、フレーム３と第１層７とが連続している場合を前提に説明を行なう。フレーム３は、原稿１１等の読取対象１１の側に矩形の開口を有する。フレーム３は、アルミニウムなどの金属や樹脂で形成されている。フレーム３は、主走査方向（長辺方向）に反っており主走査方向（長辺方向）に沿って凹んだ湾曲した湾曲面３ａを有した形状となっている。フレーム３は、レンズアレイ４及び、センサ素子アレイ５が実装されたセンサ基板６、を収納または保持する。
【００２２】
レンズアレイ４は、主走査方向に複数のレンズがアレイ状に配置されたものであり、図示しないがフレーム３に形成されたレンズアレイ固定手段にて保持されている。レンズアレイ４は、主走査方向の反り量が、フレーム３の反り量の１／２となるように固定されている。レンズアレイ４は、たとえば半径方向に所定の関数で規定される屈折率を有するＧＲＩＮレンズの複数個を２次元配列したＧＲＡＩＮレンズアレイなどが使用される。このＧＲＡＩＮレンズアレイは、通常、円柱型レンズ（以下、単にレンズという）を２次元配列し、その軸方向に沿う両側に挟んだ状態で接着固定された構造となっている。レンズアレイ４は、透明板２を透過してきた光を、センサ素子アレイ５に集光する機能を有する。レンズアレイ４は、透明板２の読取面２ａの位置で読取られた原稿１１等の読取対象１１をセンサ素子アレイ５に正立等倍で結像する正立等倍結像光学系である。
【００２３】
センサ素子アレイ５は、主走査方向に複数のセンサ素子５が２次元配列でアレイ状に配置されたものであり、センサ基板６に実装されている。センサ素子アレイ５は、レンズアレイ４で集光された光を受光し光電変換する機能を有する。
【００２４】
センサ基板６は、ガラスエポキシなどの樹脂で形成された基板であり、センサ素子アレイ５を実装している。センサ基板６は、フレーム３の透明板２が配置される側とは反対側に、フレーム３に沿って固定されている。
【００２５】
透明板２とフレーム３とは、透明板２は平坦度を維持したまま、フレーム３は湾曲したままで、透明板２の平坦面２ｂとフレーム３の長辺方向に形成された湾曲面３ａとが接着剤７にて接着されている。透明板２とフレーム３とを接着する際、透明板２とフレーム３とが対面する箇所は、フレーム３の湾曲によって、主走査方向（長辺方向）に透明板２の平坦面２ｂとフレーム３の湾曲面３ａとの間隔が変化する隙間が発生する。この隙間は接着剤７を充填することで、隙間を埋設している。この隙間に充填されて硬化した接着剤７を接着層とも呼び第１層７に相当する。つまり、第１層７は、接着剤７をフレーム３（第２層３）の上に積層したものであるといえる。また、第１層７は、透明板２とフレーム３（第２層３）との間に充填されるものであるともいえる。接着剤７は、熱硬化性、常温硬化性、またはＵＶ（紫外光）硬化性のいずれの接着剤を用いても良い。このようにすることにより、画像読取装置１は、フレーム３が主走査方向（長辺方向）に沿って（湾曲して）いても、透明板２の読取面２ａが主走査方向に沿って平坦な構造を有する。
【００２６】
なお、接着層７が積層されたフレーム３の状態を筐体１０とも称する。この筐体１０が、前述した第１層７と第２層３とで構成されているもの（フレーム３）に相当する。筐体１０において、接着層７はフレーム３の上に、連続して形成されている。換言すると、筐体１０において、接着層７が第１層７、フレーム３が第２層３であるといえる。筐体１０から見た場合、透明板２は筐体１０に支持されている。筐体１０において、接着層７の上面、すなわち読取対象１１の側の面は平坦な形状をしている。筐体１０において、接着層７の下面、すなわち接着層７とフレーム３との接合面は湾曲している。この湾曲した接合面は、接着面と称しても良い。第１層７の読取対象１１の側に形成される平坦な面を得るためには、接着剤７に粘性があるものを選択するか、接着剤７が流れ出さないように板材などを使った治具を利用するなどが考えられるが、これらに限られるものではない。
【００２７】
図６は、画像読取装置の焦点深度を示す模式図である。図６において、レンズアレイ４のそれぞれのレンズは、透明板２の読取面２ａを読取対象１１の側の焦点８とし、センサ素子アレイ５のそれぞれのセンサ素子５の結像面５ａを結像側の焦点９として、焦点を合わせている。
【００２８】
図８Ａは、比較例の画像読取装置の主走査方向の断面図である。図８Ｂは、図８Ａにおけるフレームに関する説明図である。なお、図８Ａ、図８Ｂをまとめて、図８と称して説明する。主走査方向に沿って反った（湾曲した）フレーム３に、透明板２、レンズアレイ４及びセンサ基板６（センサ素子アレイ５）がフレーム３を基準として、一体に組み付けられている。透明板２はフレーム３の反りに倣い、透明板２に反りが発生し、透明板２の読取面２ａと読取対象１１を搬送・押し当てるプラテンローラ１２との間に、主走査方向に沿って隙間の間隔が変化する空間１３ができ、読取位置が変動する。読取位置が変動するとレンズアレイ４の読取対象１１側の焦点８と読取対象１１の位置がずれるので、読取画像がピンボケ状態となり、ＭＴＦ性能が低下する可能性がある。
【００２９】
図７Ａは、この発明の実施の形態１に係る画像読取装置の原稿読取位置を示す図である。図７Ｂは、図７Ａにおけるフレームに関する説明図である。図７Ａ、図７Ｂをまとめて、図７として説明する。実施の形態１に係る画像読取装置１では、透明板２を主走査方向に沿って平坦な構造とした。つまり、透明板２の読取面２ａを主走査方向に沿って平坦な構造とした。これにより、透明板２の読取面２ａと読取対象１１を搬送・押し当てるプラテンローラ１２との間には、主走査方向に沿って隙間の間隔が変化する空間は発生しなく、読取面２ａとプラテンローラ１２との間隔は、主走査方向に亘って一定である。したがって、レンズアレイ４の読取対象１１側の焦点８と読取対象１１との位置は主走査方向に亘って一定であり、読取画像が明瞭であり、ＭＴＦ性能が安定した読取画像を得ることが容易である。
【００３０】
実施の形態２．
図９Ａは、この発明の実施の形態２に係る画像読取装置の主走査方向の断面図である。図９Ｂは、図９Ａにおけるフレームに関する説明図である。なお、図９Ａ、図９Ｂをまとめて、図９と称して説明する。読取対象１１の側におけるフレーム３の開口の長辺は、読取対象１１の側に配置された長辺方向に平坦な第１層７と、第１層７と連続する第２層３とを有し、第１層７と第２層３との接合面は湾曲している（湾曲面３ａ）。さらに、フレーム３は、読取対象１１の側と反対側、すなわちセンサ基板６の側におけるフレーム３の開口の長辺が、センサ基板６の側に配置された長辺方向に平坦な第３層１９と、第３層１９と連続する第２層３とを有し、第３層１９と第２層３との接合面は湾曲している（湾曲面３ｂ）。
【００３１】
図９においては、第３層１９が、平板状のセンサ基板６を保持するものを例示している。センサ基板６は、樹脂やセラミックなどで形成されている。センサ基板６は、読取対象１１の側、すなわちセンサ素子アレイ５が実装された面が、主走査方向に沿って平坦な平板状の形状を形成している。
【００３２】
第１層７と第２層３と第３層１９とで構成されているものをフレーム３と称しても良いし、第２層３だけをフレーム３と称しても良い。以後は、フレーム３が第２層３であり、このフレーム３の読取対象１１側に第１層７が連続し、およびフレーム３の読取対象１１とは反対側（すなわちセンサ基板６側）に第３層１９が連続している、すなわち、フレーム３に第１層７と第３層１９とが連続している場合を前提に説明を行なう。フレーム３は、原稿１１等の読取対象１１の側に矩形の開口を有する。フレーム３は、アルミニウムなどの金属や樹脂で形成されている。フレーム３の読取対象１１の側は、主走査方向（長辺方向）に反っており主走査方向（長辺方向）に沿って凹んだ湾曲した湾曲面３ａを有する形状となっている。また、フレーム３の読取対象１１と反対の側は、主走査方向（長辺方向）に反っており主走査方向（長辺方向）に沿って凸形状で湾曲した湾曲面３ｂを有する形状となっている。フレーム３は、レンズアレイ４及び、センサ素子アレイ５が実装されたセンサ基板６、を収納または保持する。
【００３３】
なお、第３層１９は、第１層７と同様に、実施の形態１で説明した第１層７の形成方法と同様な方法にて、フレーム３とセンサ基板６との間に充填された接着剤を硬化することによって形成された（すなわちフレーム３の下に積層された）接着層１９でもある。なお、フレーム３の上に接着層７が、フレーム３の下に接着層１９が積層されたフレーム３の状態を筐体１０とも称する。
【００３４】
これにより、透明板２の読取面２ａが主走査方向に沿って平坦であり、また、センサ基板６のセンサ素子アレイ５が主走査方向に沿って平坦となり、レンズアレイ４も主走査方向に平坦となることから、レンズアレイ４のセンサ素子５側の焦点９が主走査方向に亘って有為（一定）であるので、読取画像が明瞭となり、ＭＴＦ性能が安定した読取対象１１の読取画像を得ることが容易となる。
【００３５】
なお、センサ基板６の剛性が高い場合は、センサ基板６をフレーム３における主走査方向の中央部に、ネジなどの締結部材で固定しても、同様の効果を得ることができる。
【００３６】
実施の形態３．
本発明に係る実施の形態３において、図２及び図４に示すように、ホルダ１６は、主走査方向（Ｘ軸方向、長手方向、長辺方向）に延在している導光体１４においてＸ軸方向における端部に設けられている。ホルダ１６の穴部に導光体１４の主走査方向（Ｘ軸方向、長手方向、長辺方向）の端部が挿入される。導光体１４が挿入されたホルダ１６は、サポート１５の副走査方向に突出した平坦部及びこの平坦部から傾斜して立設した立設部とで導光体１４を挟んで、サポート１５と共にフレーム３の主走査方向（Ｘ軸方向、長手方向、長辺方向）の端部に固定されている。なお、導光体１４を挟んでいるサポート１５及びホルダ１６を、導光体保持部材とも称する。
【００３７】
すなわち、導光体１４は、フレーム３の主走査方向（Ｘ軸方向、長手方向、長辺方向）の端部に固定されたホルダ１６とサポート１５とで、フレーム３の主走査方向（Ｘ軸方向、長手方向、長辺方向）の端部に固定されているので、フレーム３の主走査方向（Ｘ軸方向、長手方向、長辺方向）の反りの影響を受けない。
【００３８】
よって、実施の形態１及び実施の形態２に、本構造にて導光体１４をフレーム３に取り付けることにより、導光体１４は、フレーム３の湾曲面３ｂに関係することなく、透明板２の平坦面２ｂに主走査方向に亘って平行に取り付けることができるため、主走査方向に亘ってレンズアレイ４に安定した光量を得ることが容易となる。結果、レンズアレイ４に安定した光量が入射するため、ＭＴＦ性能が安定した画像読取装置が得られる。
【符号の説明】
【００３９】
１  画像読取装置、２  透明板、２ａ  読取面、２ｂ  平坦面、３  フレーム（第２層）、３ａ  湾曲面、３ｂ  湾曲面、４  レンズアレイ（レンズ部）、５  センサ素子アレイ（センサ素子）、６  センサ基板、７  接着剤（接着層、第１層）、８  焦点、９  焦点、１０  筐体、１１  原稿（読取対象）、１２  プラテンローラ、１３  空間、１４  導光体、１５  サポート、１６  ホルダ、１７  光源基板、１８  光源、１９  接着剤（接着層、第３層）。
【図１】
0006594562.tif 000002
【図２】
0006594562.tif 000003
【図３】
0006594562.tif 000004
【図４】
0006594562.tif 000005
【図５Ａ】
0006594562.tif 000006
【図５Ｂ】
0006594562.tif 000007
【図６】
0006594562.tif 000008
【図７Ａ】
0006594562.tif 000009
【図７Ｂ】
0006594562.tif 000010
【図８Ａ】
0006594562.tif 000011
【図８Ｂ】
0006594562.tif 000012
【図９Ａ】
0006594562.tif 000013
【図９Ｂ】
0006594562.tif 000014